【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
外科的に形成された第１の胃腸管開口から消化内容物を収集して第２の胃腸管開口に前記消化内容物を送り込むように構成された栄養素リサイクル装置において、
前記第１の外科的に形成された胃腸管開口から第１のバッグ開口を通して前記消化内容物を受け入れるように適合された可撓性バッグと、
前記収集された消化内容物を前記第２の胃腸管開口に送り込むように適合された、前記可撓性バッグ内に配置される又は前記可撓性バッグへの取り付けによって前記可撓性バッグに組み込まれたポンプであって、
前記可撓性バッグの内部と流体連通しているポンプ入口と、
前記消化内容物が前記ポンプから前記第２の胃腸管開口に流れるための流路を提供するように適合された出口導管に接続されたポンプ出口と、
前記ポンプから分離可能であり、前記ポンプに動作可能に連結されるように適合されたポンプアクチュエータと、を備えるポンプと、を備える、栄養素リサイクル装置。
【請求項２】
前記第１のバッグ開口が、
ａ．前記外科的に形成された第１の胃腸管開口上に配置されるように構成され、
ｂ．前記外科的に形成された第１の胃腸管開口及び前記第２の胃腸管開口上に配置されるように構成され、又は
ｃ．前記外科的に形成された第１の胃腸管開口上に配置されるように構成され、前記可撓性バッグの第２のバッグ開口が、前記第２の胃腸管開口上に配置されるように構成されている、請求項１に記載の栄養素リサイクル装置。
【請求項３】
前記ポンプは、
ａ．前記可撓性バッグの内壁に取り付けることによって、
ｂ．前記可撓性バッグの外壁に取り付けることによって、又は
ｃ．前記可撓性バッグの壁の少なくとも一部を形成することによって、
前記可撓性バッグに組み込まれる、請求項１又は２に記載の栄養素リサイクル装置。
【請求項４】
前記可撓性バッグが、患者に前記可撓性バッグを取り付けるように構成された接着バッキング取り付け部を備える、請求項１〜３のいずれか一項に記載の栄養素リサイクル装置。
【請求項５】
前記取り付け部が前記可撓性バッグから分離可能である、請求項４に記載の栄養素リサイクル装置。
【請求項６】
前記ポンプは前記可撓性バッグ内に配置される、請求項１〜５のいずれか一項に記載の栄養素リサイクル装置。
【請求項７】
前記ポンプが、前記出口導管によって支持される前記可撓性バッグ内で自由に浮遊する、請求項６に記載の栄養素リサイクル装置。
【請求項８】
前記可撓性バッグが、さらに、少なくとも１つの外部導管が前記可撓性バッグの内部と外部との間で連通することを可能にするように適合された少なくとも１つの外部導管開口を備える、請求項１〜７のいずれか一項に記載の栄養素リサイクル装置。
【請求項９】
前記可撓性バッグに組み込まれたポンプが、さらに、前記可撓性バッグの壁の少なくとも一部を形成するポンプ本体を備える、請求項１〜３のいずれか一項に記載の栄養素リサイクル装置。
【請求項１０】
ポンプ本体が前記可撓性バッグに取り付けられている、請求項１〜５のいずれか一項に記載の栄養素リサイクル装置。
【請求項１１】
前記ポンプが、クリップ、留め金、バックル、ベルクロ、ジッパー、摺動ファスナー、スナップファスナー、磁石によって前記可撓性バッグに取り付けられている、または、
前記可撓性バッグが、前記ポンプ本体を配置するように適合されたポーチを備える、
請求項１０に記載の栄養素リサイクル装置。
【請求項１２】
前記出口導管が、第１の部分および第２の部分を備え、
前記出口導管の第１の部分が前記可撓性バッグ内に配置され、
前記出口導管の第２の部分が前記可撓性バッグの外部に配置され、前記導管の前記第２の部分が、前記第２の胃腸管開口を介して前記胃腸管に挿入されるように適合される、請求項１〜１１のいずれか一項に記載の栄養素リサイクル装置。
【請求項１３】
前記出口導管が、前記消化内容物の逆流を防止するための一方向弁を備える、請求項１〜１２のいずれか一項に記載の栄養素リサイクル装置。
【請求項１４】
前記出口導管の前記第２の部分が、前記胃腸管と前記消化内容物の流体連通を可能にするように構成された側壁に１つ以上の開口を含む、請求項１２又は１３に記載の栄養素リサイクル装置。
【請求項１５】
前記出口導管が、使用時に前記外科的に形成された第１の胃腸管開口から前記胃腸管の下流に配置されるように構成された排出端部を含み、前記消化内容物を患者に再導入して戻すように構成されている、請求項１〜１４のいずれか一項に記載の栄養素リサイクル装置。
【請求項１６】
前記出口導管が、使用時に前記外科的に形成された第１の胃腸管開口から上流に配置されるように構成された排出端部を含み、前記消化内容物を患者に再導入して戻すように構成されている、請求項１〜１４のいずれか一項に記載の栄養素リサイクル装置。
【請求項１７】
前記出口導管が、使用時に患者の鼻腔を介して挿入されるように構成されている、請求項１６に記載の栄養素リサイクル装置。
【請求項１８】
前記出口導管が、使用時に皮膚を介して挿入され、前記胃腸管の側壁に挿入されるように構成されている、請求項１５又は１６に記載の栄養素リサイクル装置。
【請求項１９】
前記出口導管が、使用時に前記外科的に形成された第１の胃腸管開口を介して上流に挿入されて戻されるように構成されている、請求項１６に記載の栄養素リサイクル装置。
【請求項２０】
前記装置が、さらに、前記外科的に形成された第１の胃腸管開口から、前記ポンプへ又は前記ポンプに向かって消化内容物を案内するように構成された入口導管を備える、請求項１〜１９のいずれか一項に記載の栄養素リサイクル装置。
【請求項２１】
前記ポンプが、さらに、ポンプ本体、および前記ポンプアクチュエータによって駆動されるように適合されたインペラを備える、請求項１〜２０のいずれか一項に記載の栄養素リサイクル装置。
【請求項２２】
前記インペラが、前記ポンプアクチュエータと前記インペラとの間の磁気的結合によって駆動される、請求項２１に記載の栄養素リサイクル装置。
【請求項２３】
前記インペラが、磁性素子または強磁性素子を含む、請求項２２に記載の栄養素リサイクル装置。
【請求項２４】
前記インペラが、前記ポンプアクチュエータと前記インペラとの間の機械的結合によって駆動される、請求項２１に記載の栄養素リサイクル装置。
【請求項２５】
前記ポンプが蠕動ポンプである、請求項１〜２０のいずれか一項に記載の栄養素リサイクル装置。
【請求項２６】
前記蠕動ポンプが、
ポンプ導管と、
前記ポンプ導管を圧縮して、前記消化内容物を、前記ポンプ導管を介して追いやるように構成されたローラと、を備える、請求項２５に記載の栄養素リサイクル装置。
【請求項２７】
前記ポンプが、前記ポンプの内部に消化物の大部分が入るのを制限するように構成されたフィルタを備える、請求項１〜２６のいずれか一項に記載の栄養素リサイクル装置。
【請求項２８】
前記ポンプアクチュエータが、前記消化内容物を前記第２の胃腸管開口に向かって押すように構成されたシリンジを備える、請求項１〜２７のいずれか一項に記載の栄養素リサイクル装置。
【請求項２９】
前記シリンジが、前記可撓性バッグの外部にプランジャを備える、請求項２８に記載の栄養素リサイクル装置。
【請求項３０】
前記ポンプが、１つ以上の一方向弁を備える、請求項１〜２９のいずれか一項に記載の栄養素リサイクル装置。
【請求項３１】
前記ポンプが、前記消化内容物をより小さな粒子に能動的に粉砕または切断する、請求項１〜３０のいずれか一項に記載の栄養素リサイクル装置。
【請求項３２】
前記装置が、さらに、消化内容物の流れを測定するように構成された流量計を備える、請求項１〜３１のいずれか一項に記載の栄養素リサイクル装置。
【請求項３３】
前記ポンプが、前記消化内容物の流量を増加または減少させるためのコントローラを備える、請求項１〜３２に記載の栄養素リサイクル装置。
【請求項３４】
前記コントローラが、
ａ．前記ポンプが患者または介護者によって手動で動作される、
ｂ．自動的に前記ポンプを動作させる、
ｃ．設定間隔で前記ポンプを動作させる、
ｄ．約３０分から６時間ごとに前記ポンプを動作させる、
ｅ．一度に約３０秒から２０分間、前記ポンプを動作させる、
ｆ．センサによって検出された所定の流体レベル、バッグの重量、または細菌のレベルに到達したときに前記ポンプを動作させる、
ｇ．閉塞を取り除くために前記ポンプを時々逆方向に動作させる、
ｈ．センサが閉塞を取り除くために所定の状態を検出した場合に前記ポンプを逆方向に動作させる、
ｉ．閉塞を取り除くために前記ポンプを順方向と逆方向とを交互に繰り返すように動作させる、
の少なくとも１つに適合される、請求項３３に記載の栄養素リサイクル装置。